Podtech/llm-jp-corpus-v4-ja_patent huggingface dataset:
(57)【要約】      （修正有）【課題】紙芯の棒の先端を楕円形とし、広い面をもたせ、その部分に固く脱脂綿を巻きつけ、さらに一方の棒の先端を鋭角とし、従来の単に棒の先端に綿を巻いただけの綿棒歯ブラシより、より強力で効果的な綿棒歯ブラシと、より効果的に、簡単に歯垢を取り除くための綿棒歯ブラシの提供。【解決手段】紙芯の棒２の先端４を厚みのある平らな楕円形とし、広い面をもたせ、その部分に固く脱脂綿を巻くことによって、その綿の部分と歯の表面全体が密に接触し、摩擦力も強力になり、より効果的な歯ミガキを行うことができるのである。又、紙芯棒の一方の先端３を鋭角にし、その部分を使用することによって歯間の歯垢をも十分に、また簡単に取り除くことが出来るのである。このように歯を磨く、歯垢を取り除くという点でもより効果的であるばかりでなく、二つの作業を一本で行うことが出来る点でも有効なものといえる。【選択図】図３
0003117891.tif 000002
【実用新案登録請求の範囲】
【請求項１】
紙芯の棒の先端を厚みのある平らな楕円形となし、その部分に脱脂綿を固く巻きつけ、もう一方の棒の先端は長さ５ｍｍ程度斜めに切り取り鋭角としてなることを特徴とする楕円形綿棒歯ブラシである。
【請求項２】
綿を巻きつけた先端を、人体に無害な水溶液で濡らすことを特徴とする請求項１記載の楕円形綿棒歯ブラシ。
【考案の詳細な説明】
【技術分野】
【０００１】  本考案は、紙芯の棒の先端を楕円形に広げたことにより、歯の表面と綿を巻いた部分の接触部分が大きくなり、そのため摩擦力を強め歯ミガキの効果を高めたものである。又、一方の先端を鋭角に切り取ったことにより、その部分で、今までの綿棒では不十分であった歯間の歯垢を取り除く作業も同時に効果的に行うものである。
【背景技術】
【０００２】  従来の紙芯の棒に綿を巻いただけの綿棒では  歯の表面との接触の部分が狭く充分な摩擦力が得られず歯磨きに最適とはいいがたいものである。又、歯間の歯垢を取り除くのも十分ではなかった。
【考案の開示】
【考案の解決しようする課題】
【０００３】  紙芯の棒の先端を厚みのある平らな楕円形となし、その部分に脱脂綿を固く巻きつけ，もう一方の棒の先端を５ｍｍ程度斜めに切り取り鋭角とした本考案は、従来棒のみに綿を巻きつけた綿棒歯ブラシの欠点である歯の表面との摩擦力の弱さ接触面の狭さを解決することを課題とし、さらに従来の綿棒歯ブラシでは歯間の歯垢を十分に取り除くことが出来ない点も解決の課題とし、又この二つの作業を１本で行えるように解決することも課題とした。
【課題を解決するための手段】
【０００４】  紙芯の棒の先端を厚みのある平らな楕円形となし、その部分に脱脂綿を固く巻きつけ、もう一方の棒の先端を斜めに切り取り鋭角とした本考案は、棒の先端を楕円形としたことにより歯の表面との接触が大きくなり  摩擦力が強くなり歯ミガキとして大きな効果を持つようになった。さらに一方の先端を鋭角にしたため歯間の歯垢を取り除くのに十分な効力があり、一本の楕円形綿棒で歯を磨く、歯垢を取り除くという作業が十分行えるのである。
【考案の効果】
【０００５】  本考案は棒の先端を広く楕円形としたことにより、歯の表面との接触が広がり摩擦力も強くなり歯を磨くのに十分な効果をもたらす。又一方の棒の先端を鋭角とし、その部分を使用することで歯間の歯垢を取り除くことも可能になった。従来の綿棒歯ブラシでは歯垢を取り除くには爪楊枝等別の製品が必要である。本考案は歯を効果的に磨くばかりでなく、歯間の歯垢を取り除くという作業をも一本で行うことができるのである。
【考案を実施するための最良の形態】
【０００６】  紙芯の棒の先端を厚みのある平らな楕円形となし、その部分に固く脱脂綿を巻きつけ、もう一方の棒の先端を５ｍｍ程度斜めに切り取り鋭角とした楕円形綿棒歯ブラシは、歯磨きと歯垢を取り除くのに最も有効な形態としたものである。棒の先端を楕円形として広い面とすることにより、歯の表面全体と綿を巻いた部分が強く接触し、歯ミガキがより効果的に行えるのである。又歯間の歯垢はもう一方の鋭角な部分を使って取り除くというものである。このように１本で二つの作業を有効に行う形態としたものである。
【実施例】
【０００７】  水を使わず、使い捨てとしても使用できるため、体の不自由な病人の歯ミガキ、災害時の避難場所や、又、長時間旅行の飛行内での携帯用歯ブラシとしても役に立つものである。又幼児の初期の歯ミガキとしても使用できるのである。又口腔内の乾きがちな病人のために清潔で無害な水溶液で綿の部分を湿らせたものも、必要に応じて使い分けることが出来るようにした。サイズは幼児、大人の歯の大きさを考慮して決める必要がある。例えば大人用なら楕円形の部分の大きさを厚さ０．３ｃｍ横幅１ｃｍ縦幅１．５ｃｍの紙芯とするなどであるが、大きさはこれに限定するものではない。本考案の楕円形綿棒歯ブラシは、従来の綿棒歯ブラシよりより効果的な歯ブラシであり、歯垢を取り除く点でも有効な歯ブラシである。
【図面の簡単な説明】
【０００８】
【図１】楕円形綿棒歯ブラシの土台になる紙芯の平面図
【図２】楕円形綿棒歯ブラシの土台になる紙芯の横図
【図３】紙芯の先端部分に脱脂綿を巻きつけた楕円形綿棒歯ブラシの斜視図
【符号の説明】
【０００９】１  紙芯の先端部
２  紙芯棒
３  紙芯棒を鋭角に切り取った先端部
４  脱脂綿を巻いた紙芯の先端部
【図１】
0003117891.tif 000003
【図２】
0003117891.tif 000004
【図３】
0003117891.tif 000005
(57)【要約】【課題】  換気扇の、掃除をする際の困難な手間をはぶき、使い捨てカバーの、目詰まり等による、換気能力の低下の解消等。【解決手段】  脱落防止のくぼみ６と、回転軸に取り付けた補助具７に、ワンタッチで脱着できる。換気扇の扇３により、この課題を解決する。【選択図】  図２
0003117840.tif 000002
【実用新案登録請求の範囲】
【請求項１】
脱落防止のくびれと、回転させるための切り込み部を備えた、ワンタッチ式の使い捨て、換気扇の扇。
【考案の詳細な説明】
【技術分野】
【０００１】  本考案は、台所用換気扇の、扇に関するものである。
【背景技術】
【０００２】  従来の換気扇では、プラスチックの扇が用いられ使い捨てのものは無い。
【考案の開示】
【考案が解決しようとする問題】
【０００３】  これでは使用中に油汚れが目立ち、掃除も非常に困難であるため、上部を覆う使い捨てカバーがあるが、これも油がすぐカバーの目をふさいでしまい、換気扇そのものの持つ換気能力が低下するため、不便である。
【課題を解決するための手段】
【０００４】  そこで、ワンタッチ式の使い捨て、換気扇の扇を考案した。
【考案の効果】
【０００５】  よって、本考案のワンタッチ式、使い捨て換気扇の扇によって、困難な掃除の手間も、目詰まりによる換気能力の低下等の、不便さを解決できる。
【考案を実施するための最良の形態】
【０００６】  本考案に係る換気扇の扇３は、図２に示すように脱落防止のため、くびれ部６を備えている。そしてモーター回転軸に、補助具７を取り付け、補助具４のツメ部が、図３に示す、切り込み部５にはまり回転する。装着時は、初回のみ使用中の扇を外してから補助具を取り付けることにより、ワンタッチでの脱着が可能となる。換気扇の扇の材質は古紙を再利用したものである。
【図面の簡単な説明】
【０００７】
【図１】  本考案に係る、換気扇の扇と、カバーの平面図である。
【図２】  本考案に係る、換気扇の扇を、モーターに取り付けた際の、側面断面図である。
【図３】  本考案に係る換気扇の扇の底面図である。
【図４】  本考案に係る換気扇の扇の斜面である。
【符号の説明】
【０００８】      １    カバー
２    切り込み
３    換気扇の扇
４    補助具のツメ部
５    換気扇の扇の切り込み部
６    換気扇の扇のくぼみ部
７    補助具
８    カバー折り返し部
９    モーター
１０  回転軸
【図１】
0003117840.tif 000003
【図２】
0003117840.tif 000004
【図３】
0003117840.tif 000005
【図４】
0003117840.tif 000006
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
円筒型の側面に羽根５枚を取り付け、更に円筒頭頂部中央に球形のふくらみを持たせる。このことにより、くびれ部が形成される。球部側面に均等に補助具のツメが挿入される切込み部３箇所を開放し、切り込み部下部全ての箇所から、くびれ方向に切り込みを入れた一体形の挿入式ワンタッチの紙製の扇で、補助具を取り付けた換気扇本体に扇を挿入する際、切り込みがその挿入を容易にさせ、球部側面の切り込み部に挿入された補助具のツメが、動力の回転を伝え、扇を回転させる。その際補助具のくびれ部に扇のくびれ部がはめ込まれ固定されるため、回転による扇の脱落は防止される。
脱落防止のくびれと、回転させる為の切り込み部を備えた、紙製ワンタッチ式の使い捨ての換気扇の扇。
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
・円筒形の側面に羽根５枚を取り付け、円筒の上面中央に球形のふくらみを持たせることにより、くびれ部が形成され、この球部側面に補助具のツメ３枚が挿入される穴を均等に開け、その穴の下部から、くびれ方向へ切り込みを入れたワンタッチ式の紙製の換気扇の扇。
(57)【要約】      （修正有）【課題】本考案は安価にて手軽何処でも取り付け出来作業効率も良く安全にメッセンワイヤーを延線する事が可能なカラビナ付メッセンワイヤー延線吊紐部材及び工法を提供する。【解決手段】支持柱１Ａ〜１Ｄ間に新設ワイヤーを延線する際、まず１Ａ支持柱に７の金車を付け５のワイヤー延線する１Ａ〜１Ｂ支持柱既設ワイヤーにカラビナ付吊紐を取り付けカラビナ側に新設ワイヤーを通して垂れない程度の間で延線する１Ｂ〜１Ｃも同様に延線し１Ａ〜１Ｄ延線後１Ａ支持柱で新設メッセンワイヤーを一度で弛度をとり張上げる事が出来ます又メッセンワイヤーの太さによりカラビナ付吊紐を強度の有る方を使用する。【選択図】図３
0003117838.tif 000002
【実用新案登録請求の範囲】
【請求項１】
６ミリ、又は８ミリのクレモナロープを８０センチ位又は１２０センチ位に切り両方の端を、折り返し片方の端は、８センチ位の輪を作りロープを編みこみ又は接着、もう片方の端は、１センチ位の輪を作り同じ様に編みこみ又は接着、小さい輪の方に、だるま型５０ミリ又は６０ミリ、バネ付カラビナを取り付けたメッセンワイヤー延線吊紐、吊紐の長さ６５センチ及び１メートルと２種類
【考案の詳細な説明】
【技術分野】
【０００１】本発明は電気架線工事の新設、改修工事のメッセンジャーワイヤー延線に関する工事部材、工法の発明。
【背景技術】
【０００２】従来の工法では支持柱間のメッセンジャーワイヤー延線には、ワイヤーが路上に垂れるのを防止するのに、ワイヤー専用線繰り台にて張力をかけながらウインチ又は人力により延線しています。【０００３】支持柱間においては、ワイヤーが垂れるときは、既設ワイヤーにハンガーを掛けながら延線しています【０００４】既設ケーブルワイヤーに新設ワイヤーをハンガー吊出来ない所は（メッセン付ケーブル）監視員を置きながら延線しています【０００５】メッセンワイヤー延線後ワイヤーが垂れないよう軽く張り上げ既設ワイヤーに掛けたハンガーを外してまわり又、張り上げ弛度を取っています。【０００６】現実ではメッセンワイヤー延線時ワイヤーが垂れ人身事故が多発しています。
【考案の開示】
【考案が解決しようとする課題】
【０００７】上記（２）で述べた延線では張力を掛けながら引く為、ウインチなど強い力が必要となり機材、準備に時間がかかります。【０００８】支持柱間では既設ワイヤーにハンガーを掛ける為、既設ケーブルと離隔が無い為、既設ケーブルに損傷を与える可能性がある【０００９】新設ケーブルがハンガー吊出来ない所は、監視員が必要とします。【００１０】メッセンワイヤー延線後ハンガー吊を外して回る為、ワイヤー張り上げるのに時間がかかる。【００１１】  延線距離がある時は如何してもワイヤーが路上に垂れるところが有る【００１２】本発明では従来の工法で要していた、問題点を解決しようとするものであり、ワイヤーが垂れる事が無く事故防止、及び人員削減、時間短縮、特殊機材が不要となる為ワイヤー延線が簡単に出来、安全をも確保しようとする部材、工法である。
【課題を解決するための手段】
【００１３】本発明は上記の問題点、メッセンワイヤーが路上に垂れるのを防止する為のカラビナ付メッセンワイヤー延線吊紐である。
【考案の効果】
【００１４】この部材は、クレモナロープとバネ付カラビナで出来ている為既設メッセン付ケーブルにも損傷させる事無く取り付けできます。【００１５】バネ付だるま型カラビナのため、新設ヤイヤーが簡単に掛けたり外したりする事ができる。【００１６】クレモナロープで吊る為、既設ケーブルとの間に離隔が取れ損傷させる事無く作業できます【００１７】一度でメッセンワイヤーを弛度をとり張り上げができ、時間の短縮になります【００１８】簡単に取り付けが出来、ワイヤーが垂れない為、作業の安全が確保できます。【００１９】この吊紐を使う事により張力を必要としない為、特殊機材が必要有りません【００２０】作業員のワイヤーを引く力を、軽減させる事ができます【００２１】ワイヤーが垂れない為監視員不要と為り人員削減につながります。
【考案を実施するための最良の形態】
【００２２】この吊紐を使う事によりメメッセンワイヤーが路上に垂れない為高所作業の安全性を高める事ができます。
【実施例】
【００２３】図１〜４まで
【産業上の利用可能性】安価にて提供出来るため、高所作業の安全性を高める
【図面の簡単な説明】
【図１】カラビナ付メッセンワイヤー延線吊紐
【図２】メッセンワイヤー延線吊紐の使い方
【図３】メッセンワイヤー延線吊紐の工法
【図４】メッセンワイヤー延線後
【符号の説明】
ａ    ６ミリ又は８ミリクレモナロープ
ｂ    バネ付ステンレス製だるま型カラビナ
１Ａ    支持柱
１Ｂ    支持柱
１Ｃ    支持柱
１Ｄ    支持柱
２    既設メッセンケーブル
３    新設装柱金物
４    カラビナ付メッセンワイヤー延線吊紐
５    新設メッセンワイヤー
６    メッセンドラム
７    金車
【図１】
0003117838.tif 000003
【図２】
0003117838.tif 000004
【図３】
0003117838.tif 000005
【図４】
0003117838.tif 000006
【手続補正書】
【提出日】平成17年1月31日(2005.1.31)
【手続補正１】
【補正対象書類名】実用新案登録請求の範囲
【補正対象項目名】請求項１
【補正方法】変更
【補正の内容】
【請求項１】
６ミリ、又は８ミリのクレモナロープを８０センチ位又は１２０センチ位に切り両方の端を、折り返し片方は、８センチ位の輪を作りロープを編みこみ接着、もう片方の端は、１センチ位の輪を作り同じ様に編みこみ接着、小さい輪のほうに、だるま型５０ミリ又は６０ミリのバネ付カラビナを取り付けた、メッセンワイヤー延線吊紐。
(57)【要約】【課題】  市販の植木鉢を鉢皿内に置くだけで簡単に底面潅水ができる機能を持った多重構造の園芸鉢皿を開発しようとするものである。【解決の手段】  吸水性のひも（５）を取り付けた鉢皿（３）の底に不織布（２）を敷く。前記鉢皿の下に貯水槽（４）を設置する。鉢皿内の不織布の上に植木鉢（１）を置いたことにより構成される。貯水槽内の水（６）は毛細管現象によって、吸水性のひもから鉢皿内の不織布を通り栽培鉢内の培土に達する。【選択図】図１
0003117839.tif 000002
【実用新案登録請求の範囲】
【請求項１】
鉢皿低部を貫通した状態で吸水性のひもを取り付け、上部に不織布を敷いたことを特徴とした底面給水用の園芸鉢皿。
【請求項２】
鉢皿底部に貯水槽を設置したことを特徴とした請求項１記載の底面給水用の園芸鉢皿。
【考案の詳細な説明】
【技術分野】
【０００１】  本考案は、底面給水方式を利用した園芸鉢皿に関するものである。
【背景技術】
【０００２】  従来、鉢植え植物の水漏れ防止を目的とした鉢皿は広く使われている。また鉢植え植物の水分補給の補助を目的としたものに、（イ）鉢皿内部に保水性の物質を入れたもの、（ロ）鉢皿低部に常に一定の水位を保つための装置や機構を備えたものなどがあった。
（イ）においては、保水される水の量が少なく、水切れが解りにくかった。
（ロ）においては、装置や機構が必要でその分高価なものとなってしまう。【０００３】  鉢植えの潅水方法として吸水性の紐や布を使ったひも給水方式は従来から広く使われている。ひも吸水方式は鉢の底部に鉢を貫通する状態で吸水性のひもが取り付けられ、吸水性のひもの下端が水に接している状態に配置され、吸水性のひもの毛細管現象によって下部の水を吸い上げ鉢内部の培土に水分を供給するものである。市販の鉢においてはひも給水をするには鉢底部に吸水性のひもを取り付ける必要があった。【０００４】  鉢植えの潅水方法として栽培現場で広く使われている方法としてマット潅水がある。マット潅水は栽培ベンチ一面に敷かれた不織布に水分を持たせ、不織布上に置かれた植木鉢内の底部培土が不織布に接することによって水分を鉢内の培土に供給するものである。この方法によって潅水作業の省力化と栽培管理の合理化が行われている。このようにして栽培された鉢植え植物であるが、消費者に渡ってからは簡単にマット潅水をする方法がなく、鉢植えの培土上部から潅水をするのが一般的であった。よって水やりの時期や量に常に注意をはらう必要があり、慣れない人は水切れや過湿によって植物を枯らしてしまうことがあった。また長期の旅行などで数日間水やりが出来ない場合にも枯らしてしまうことがあった。
【考案の開示】
【考案が解決しようとする課題】
【０００５】  本考案は、それらの欠点を除いて、一般に市販されている多様な形状の栽培鉢を鉢皿上に置くだけで、簡単に底面潅水ができる機能を持った多重構造の園芸鉢皿を開発しようとするものである。
【課題を解決するための手段】
【０００６】  上記の目的を達成するために、本考案は吸水性のひも（５）を取り付けた鉢皿（３）の底に不織布（２）を敷く。前記鉢皿の底部に貯水槽（４）を設置する。鉢皿内の不織布の上に植木鉢（１）を置いたことにより構成される。貯水槽内の水（６）は毛細管現象によって、吸水性のひもから鉢皿内の不織布を通り植木鉢内の培土に達する。
【考案の効果】
【０００７】  吸水性のひもと不織布が取り付けられた鉢皿の下に貯水槽を設置したものに、市販の栽培鉢を置くだけで簡単に底面潅水ができる。よって水やりの時期や量に常に注意をはらう必要がなく、簡単に鉢植え植物を育てる事ができる。また貯水槽には多くの水を入れることができ、水やりの回数を減らすことができる。よって長期の旅行に出かけても鉢植え植物を枯らすことも無くなる。
【考案を実施するための最良の形態】
【０００８】  本考案は以上のような構成であることから、これを使用するときは以下のようにする。鉢皿の底部に開けた穴を貫通し吸水性のひもを取り付ける。鉢皿内部の底面に不織布を敷く。鉢皿の下に貯水槽を設置する。鉢皿内の不織布の上に植木鉢を置く。貯水槽に入れた水に吸水性のひもが接し、また鉢皿の底部と貯水槽の水面との間に空間が存在する高さに水を入れる。毛細管現象により貯水槽の水は吸水性のひもと不織布を通って培土に達し、適度な水分量が植木鉢内の培土に与られる。貯水槽の水が減少したら貯水槽に水を足す。
【実施例】
【０００９】鉢皿内に置いた不織布は吸水性のある石、砂、土、陶器、ゼリー状物質、木などと置き換えても良い。【００１０】鉢皿の側面を高くして植木鉢を隠すようにすれば、さらに見た目にも観賞価値が増す。
【図面の簡単な説明】
【００１１】
【図１】    本考案の一実施形態を示す断面図である。
【符号の説明】
【００１２】  １植木鉢
２不織布
３鉢皿
４貯水槽
５吸水性のひも
６水
【図１】
0003117839.tif 000003
(57)【要約】【課題】  睡眠時にいびきをかく事で、まわりの人間に不快感を与えているのを改善するため、いびきの防止器具を使用する。【解決手段】  鼻孔内への刺激を少なくするためのだ円リング形状の先端部を、両方の鼻孔内に挿入し、だ円リング形状を支持する根元部の外側へ広がろうとするバネの力で、鼻孔内部より鼻孔内の吸気道を広げ、鼻での呼吸をスムーズにする事により、いびきの防止をする。【選択図】    図３
0003117862.tif 000002
【実用新案登録請求の範囲】
【請求項１】
鼻孔内への刺激を少なくするためのだ円リング形状の先端部を両方の鼻孔内に挿入し、だ円リング形状を支持する根元部の外側へ広がろうとするバネの力で、鼻孔内部より鼻孔内の吸気道を広げ、鼻での呼吸をスムーズにする事により、いびきの防止をする器具の機能と形状を特徴とする、いびきの防止器具。
【考案の詳細な説明】
【技術分野】
【０００１】
本考案は、鼻での呼吸をスムーズにする事により、いびきの防止をする、いびきの防止器具に関するものである。
【背景技術】
【０００２】
従来は、鼻の外側に貼るテープ状の物や、鼻クリップ等がある。
【特許文献１】特開平８−２８０７２８
【特許文献２】特開２００３−７９６５２
【考案の開示】
【考案が解決しようとする課題】
【０００３】
睡眠時、いびきをかく事で、まわりの人間に不快感を与えていた。従来の方法では、鼻孔内の吸気道を広げることが難しかった。
【課題を解決するための手段】
【０００４】
本考案は、睡眠時にいびきをかく事で、まわりの人間に不快感を与えているのを改善するため、以下に説明する実施の形態で、いびきの防止をする。
【考案を実施するための最良の形態】
【０００５】
いびきを防止するためには、鼻での呼吸をスムーズにする必要がある。
【０００６】
鼻での呼吸をスムーズするためには、鼻孔内部の吸気道を広げ、スムーズな呼吸を確保する事にある。
【０００７】
鼻孔内への刺激を少なくするための、だ円リング形状の先端部を両方の鼻孔内に挿入し、だ円リング形状を支持する根元部の外側へ広がろうとするバネの力で、鼻孔内部より鼻孔内の吸気道を広げ、鼻での呼吸をスムーズにする事により、いびきの防止をする。
【０００８】
この機能を実施するには、以下のような3つの形状が考えられます。
【０００９】
材質が、少し硬質材質で耐久性がある場合は、
（１）広口U字型
（２）広口V字型
とします。
材質が、少し軟質材質で耐久性がある場合は、
（３）一文字型
とします。
【００１０】
それぞれの形状と使用例を説明します。
【００１１】
図1は（1）広口U字型の斜視図で、1は鼻孔内への刺激を少なくするためのだ円リング形状をしており、それを支持する2の根元部分は、図2に示すように1のだ円リング部分を広口U字型にしており、図3に示すように、鼻孔内へ挿入する時には、1のだ円リング部分を内側に少しすぼめて両方の鼻孔内へ挿入する。
【００１２】
両方の鼻孔内へ挿入された1のだ円リング部分は、鼻孔内部で、それを指示する2の根元部分の外側へ広がろうとするバネの力で、鼻孔内部より鼻孔内の吸気道を広げ、鼻での呼吸をスムーズにする。
【００１３】
図4は、（2）広口V字型の斜視図で、1は前記と同じだ円リング形状をしており、それを支持する3の根元部分は、図5に示すように、1のだ円リング部分を広口V字型にしており、使用方法等は（１）広口U字型に類するものである。
【００１４】
図6は、（3）一文字型の斜視図で、1は前記と同じだ円リング形状をしており、それを支持する4の根元部分は弾力のある軟質材質になっており、図7に示すように、鼻孔内へ挿入する時は4の根元部分を中心部より二つに折り曲げ、（2）広口V字型のような形をとり、使用方法等は（１）広口U字型に類するものである。
【００１５】
なお、いずれの形状にしても、鼻孔内へ直接挿入するため、衛生上の観点から、材質には抗菌剤を使用するものである。
【図面の簡単な説明】
【００１６】
【図１】広口U字型  斜視図
【図２】広口U字型  正面図
【図３】広口U字型  鼻孔内挿入図
【図４】広口V字型  斜視図
【図５】広口V字型  正面図
【図６】一文字型  斜視図
【図７】一文字型  二つ折り正面図
【符号の説明】
【００１７】
１．だ円リング形状部
２．広口U字型支持部
３．広口V字型支持部
４．一文字型支持部
【図１】
0003117862.tif 000003
【図２】
0003117862.tif 000004
【図３】
0003117862.tif 000005
【図４】
0003117862.tif 000006
【図５】
0003117862.tif 000007
【図６】
0003117862.tif 000008
【図７】
0003117862.tif 000009
(57)【要約】      （修正有）【課題】理とギヤレーションを利用した動力増幅発電装置でバッテリーを動力源とすることでインフラ整備不要で、少ない入力エネルギーを大容量の出力エネルギーに変換することができ安全で省資源、地球温暖化防止を図る。【解決手段】バッテリーを電源とし、インバーターで４台のモーターを動力源とし、モーターギヤ対増幅ギヤ、固定ギヤを１：５の対比でギヤレーションし、テコの原理と慣性フライホイール効果により増幅された動力トルクを円盤ローター一体型発電装置で効率を数倍高め発電し、発電力の一部をバッテリーに還元する。【選択図】図１
0003117861.tif 000002
【実用新案登録請求の範囲】
【請求項１】
メーンシャフトに円盤ローターを取り付け円盤の縦横各９０度の先端に同一能力のモーターを各１台装着し、各々に増幅ギヤの１／５比のギヤを取り付け、円盤ローターに取り付けた増幅ギヤを可動させ、増幅ギヤはセンターに固定された同型の固定ギヤを軸に円盤ローターを回転させる。円盤ローターの外周に永久磁石を取り付け、その外側にステーターコアを取り付けコイルを挿入し円盤ローターを回転させることで発電装置とする。
【請求項２】
装置を大型化することでメーンシャフトに生ずるエネルギーは増大する。メーンシャフトに永久磁石取り付けの回転ローター、コイル付ステーターコアを装着することで発電装置とする。
【考案の詳細な説明】
【実用新案の詳細な説明】
【技術分野１】
モーターギヤ、増幅ギヤ、固定ギヤの組み合せとギヤレーション、テコの原理を応用し動力増幅装置と発電装置を一体化した。
【技術分野２】
モーターが２５００回転で可動すると増幅ギヤ、円盤ローターメーンシャフトが５００回転となる。ギヤレーションにより２５００回転のスピードが５倍の動力トルクに変換し増幅ギヤと固定ギヤの支点がテコとなり２倍の動力増幅となり、更にローターに取り付けたモーター重量によるフライホイール効果による動力増幅効果となる。
【技術分野３】
モーターへの入力はバッテリー、インバーター変換で入力し発電された電力の一部をバッテリーに戻すことでインフラ整備不要の発電装置となる。家庭用、業務用、電機自動車船舶用などとして使用する。
【背景技術】  従来の動力源、発電源として、水力、化石燃料、原子力、風力、太陽熱、太陽光、地熱バイオマス等が広範に利用され技術的にも高い水準に達している。しかし、変換効率、償却期間、枯渇資源問題、安全性、自然条件など今後解決すべき課題が多い。
【解決しようとする課題】
従来の動力源は、熱の放出、排気ガスなど、地球温暖化、公害問題などがあり、又、変換効率も悪く運転コストが高い。限られた資源を有効に利用するため当考案は、テコの原理とギヤレーションを利用した動力増幅発電装置でバッテリーを動力源とすることでインフラ整備不要で、少ない入力エネルギーを大容量の出力エネルギーに変換することができ安全で省資源、地球温暖化防止問題等を解決することができる。
【図面の簡単な説明】
【図１】
0003117861.tif 000003
【図２】
0003117861.tif 000004
【手続補正書】
【提出日】平成17年10月28日(2005.10.28)
【手続補正２】
【補正対象書類名】明細書
【補正対象項目名】全文
【補正方法】変更
【補正の内容】
【考案の詳細な説明】
【技術分野１】
モーターギヤ、増幅ギヤ、固定ギヤの組み合せとギヤレーション、テコの原理を応用し動力増幅装置と発電装置を一体化した。
【技術分野２】
モーターが２５００回転で可動すると増幅ギヤ、円盤ローターメーンシャフトが５００回転となる。ギヤレーションにより２５００回転のスピードが５倍の動力トルクに変換し増幅ギヤと固定ギヤの支点がテコとなり２倍の動力増幅となり、更にローターに取り付けたモーター重量によるフライホイール効果による動力増幅効果となる。
【技術分野３】
モーターへの入力はバッテリー、インバーター変換で入力し発電された電力の一部をバッテリーに戻すことでインフラ整備不要の発電装置となる。家庭用、業務用、電機自動車船舶用などとして使用する。
【背景技術】  従来の動力源、発電源として、水力、化石燃料、原子力、風力、太陽熱、太陽光、地熱バイオマス等が広範に利用され技術的にも高い水準に達している。しかし、変換効率、償却期間、枯渇資源問題、安全性、自然条件など今後解決すべき課題が多い。
【解決しようとする課題】
従来の動力源は、熱の放出、排気ガスなど、地球温暖化、公害問題などがあり、又、変換効率も悪く運転コストが高い。限られた資源を有効に利用するため当考案は、テコの原理とギヤレーションを利用した動力増幅発電装置でバッテリーを動力源とすることでインフラ整備不要で、少ない入力エネルギーを大容量の出力エネルギーに変換することができ安全で省資源、地球温暖化防止問題等を解決することができる。
【図面の簡単な説明】
【図１】  増幅されたエネルギーを伝導変換ロス無く発電エネルギーに変換するためローター自体を発電機とすることと、シャフトに直に発電機を取り付けることで同一の発電効果を得ることができる。発電された電力の一部をインバーターによりバッテリーに返還する。
【図２】  回転ローター縦横各９０度の先端にモーター設置、モーターギヤ４０歯で各アクセスギヤ２００歯を静止ギヤ２００歯を軸に回転、ローター取付シャフトトルクを発電エネルギーに変換する。トルクはローターシャフト中心よりモーターギヤ中心までの半径の大きさに比例して増大する。
(57)【要約】【課題】  本考案は、刈払機の横切れ刃と飛散防止カバーの間に草が巻きつくと、刈払機を停止して草を除去しなくてはならないため、作業時間に無駄が生じる。従って、刈払機の機能どおりに草を刈払う能力をもたせた刈払刃にする。【解決手段】  刈払機の進行方向に対して横切れ刃角をネガティブで円弧状の横切れ刃にして、切込みの接触長を長くして薄く幅の広い刈込みにして、横切れ刃と飛散防止カバーに草を巻込む問題を解決する。【選択図】    図１
0003117860.tif 000002
【実用新案登録請求の範囲】
【請求項１】
刈払機用刈払刃を径方向に突出する少なくとも１つ以上の切刃を有し、横切れ刃角は回転方向にネガティブで円弧状の切刃とされていることを特徴とする草刈払刃。
【考案の詳細な説明】
【技術分野】
【０００１】  本考案は、刈払機用刈払は、横切れ刃角は進行方向に対してネガティブで円弧状の横切刃角を有した、草刈払刃に関するものである。
【背景技術】
【０００２】  草刈作業において、横切れ刃０度は進行方向に草を巻き込んで刈込むため、横切れ刃と飛散防止カバーの間に草を巻きつけやすく、刈払機の回転が落ちて停止してしまう。
【考案の開示】
【考案が解決しようとする課題】
【０００３】  本考案は、横切れ刃と飛散防止カバーの間に草が巻きつくと刈払機を停止して、草を除去しなくてはならないため、作業時間に無駄が生じる。従って、刈払機の機能どおりに草を刈払う能力をもたせた刈払刃にして問題を解決する。
【課題を解決するための手段】
【０００４】  本考案は、刈払機の進行方向に対して横切れ刃角をネガティブで円弧状の横切れ刃にして、刈込みの接触長さを長くして薄く幅の広い刈込みにして、横切れ刃と飛散防止カバーに草を巻き込む問題を解決する。
【考案の効果】
【０００５】  本考案は、刈払機を進行方向に送っても、横切れ刃がネガティブで円弧状のため草を分散して刈払うため、切刃と飛散防止カバーに草の巻きつきを減少して、草刈作業を円滑にできる。
【考案を実施するための最良の形態】
【０００６】  刈刃は、径方向に突出する少なくとも１つ以上の横切れ刃で、進行方向にポジティブで直刃か三日月刃の切刃を有して草を刈込んで刈るが、刈払刃は従来と逆のネガティブな円弧刃の横切れ刃にして草を刈払って刈ることを特徴とする草刈払刃。
【実施例】
【０００７】  以下、添付図面１に従って実施例を説明する。１はハイス材を素材にした四葉刈払刃本体、２ａはネガティブな円弧状の切刃で２ｂは裏面の予備切刃である３は切刃の回転方向の矢印で４は取付け孔。
【図面の簡単な説明】
【０００８】
【図１】  本考案の四葉刈払刃本体の正面図である。
【符号の説明】
【０００９】１    刈払刃本体
２ａ  切刃
２ｂ  予備切刃
３    回転方向矢印
４    取付け孔
【図１】
0003117860.tif 000003
(57)【要約】      （修正有）【課題】かばんの急激な振動による負荷を和らげる。【解決の手段】かばんの急激な負荷をショルダーベルトに内蔵されたゴム弾性体５による伸縮で緩和させ、使用者の肩にかかる負担を軽くする。【選択図】図２
0003117853.tif 000002
【実用新案登録請求の範囲】
【請求項１】
かばん用ショルダーベルトは肩当て部、吊り下げ部、引掛け部より構成されており、その肩当て部分に伸縮機能を持たせる事により使用者の肩に急激な負荷がかからないようにしたのもである。
【考案の詳細な説明】
【技術分野】
【０００１】本考案はかばん携行時に使用し、肩当て部に伸縮自在機能を持たせたショルダーベルトに関する物である。
【背景技術】
【０００２】従来の商品はかばんの負荷が同時に全て直接肩にかかるため、移動時等かばんの急激な振動もあり、かなりの負担になっていた。
【考案の開示】
【考案が解決しようとする課題】
【０００３】かばんの急激な振動による負荷を緩衝する事により肩への負担を和らげるようにしたい。
【課題を解決するための手段】
【０００４】本考案はショルダーベルトの肩当て部にゴム弾性体を内蔵する事により肩当て部が伸縮し、急激な負荷を緩衝させて肩に伝わるようにする物である。
【考案の効果】
【０００５】上述のようにショルダーベルトの肩当て部が伸縮すれば急激な負荷が肩にかからないので使用者の負担を和らげることができる。
【考案を実施するための最良の形態】
【０００６】肩当て部はゴム弾性体による伸縮自在部分と実際に肩に当たる部分からなり、両部分を中心部で固定する。なおかつ肩に当たる部分で伸縮自在部分を包み込んで一体化することとした。
【図面の簡単な説明】
【０００７】
【図１】全体を示した平面図である。
【図２】肩当て部の肩に当たる部分の包みを開いて伸縮自在部分を示した平面図である。
【図３】肩に当たる部分を示した平面図である。
【符号の説明】
【０００８】１肩当て本体
２吊り下げ用テープ
３ベルト長さ調節金具
４引掛け用金具
５ゴム弾性体
６伸縮体固定部
７肩当て固定部
８肩当て巻きつけ固定部
９肩、滑り止め
【図１】
0003117853.tif 000003
【図２】
0003117853.tif 000004
【図３】
0003117853.tif 000005
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
・肩当て部にゴム弾性体を縫付ける事により、その伸縮性で使用者の肩への負担を軽減することを目的とする肩当て部、吊り下げ部、引っ掛け部よりなるショルダーベルト。
(57)【要約】      （修正有）【課題】文書類・物品などをその種別毎に、または目的別に、あるいは処理日別に、簡単に保管できて、視認性が高く、出し入れ容易な、しかも廉価なファイル収納ラックを提供する。【解決手段】文書類や物品などを保管するファイリング用架であって、これが単独で、または任意の数、あるいは複数組から構成されている。被保管物の見出し部分を前面に配置される構造を為し、単独で、または複数個あるいは複数組から構成するファイル収納ラックを実現する。【選択図】図１
0003117857.tif 000002
【実用新案登録請求の範囲】
【請求項１】
文書類や物品などを保管する、ファイリング用架であって、これが単独で、または任意の数、あるいは複数個が一体となった構造を為し、これらが縦列、または横列に配置される。被保管物は、その見出し部分が常に前面に位置付され、他の部分をふところ部に収納することによって、その視認性を高め、出し入れを容易にしたことを特徴としたファイル収納ラック。
【請求項２】
複数から構成される複数ファイル架にあって、さらに他の任意数のものと相互に連結が可能な構造を為す、請求項１記載のファイル収納ラック。
【考案の詳細な説明】
【技術分野】
【０００１】本発明は、文書類や物品などを壁面などに平行して垂直に保管されるファイル収納ラックに関するものである。
被保管物の収納量に応じて、その構成を単品から任意数、随意に増減させる技術を有するものである。
【背景技術】
【０００２】広範囲にわたる情報や、社会の多様化にともなって文書類や物品などが、益々多量・複雑、かつ多岐にわたっている。それらを的確に識別し、迅速な出し入れができるファイル収納ラックの技術は、それらの利用者に利便を供与できる。
本発明は、それらに応える安価で簡便な保管手法を提供するものである。
【考案の開示】
【考案が解決しようとする課題】
【０００３】被保管物の見出し部を見易くファイリングできること、またその出し入れが容易なこと、構成数を任意に可変可能な構造を創造することである。また、安価な商品を提供できる生産技術を付帯することである。
【課題を解決するための手段】
【０００４】被保管物の見出し部分を前面に配置させ、他の部分をふところ部に挿入する構造を有するファイ収納ラック技術の採用によって解決できる。
加工性の良い材料と、プレス加工、または射出成形などを駆使して、廉価な商品の提供を目指すことが肝要である。
【考案の効果】
【０００５】取り付け設置が簡単で、被保管物をスピーディに認識・判断ができ、出し入れが容易なファイル収納ラックは、事務所や家庭内などの、整理・整頓・処理を促進する。また利用スペースの高度化や作業の効率化にも寄与できる。
【考案を実施するための最良の形態】
【０００６】本発明品は、プラスチック、板紙、木材、または金属板などの材料と、汎用の生産技術を駆使して、容易に制作することが可能であり、廉価な商品を提供できる。
また、壁面、衝立、戸棚などへの取り付け構造を簡単にすることと、種々のカラー品の提供と相まって、設置場所との調和や美観、識別性能を高める役目を果たす。
【実施例】
【０００７】図１は、本考案に関わる使用例を、図２はファイル架の例を、図３は、複数組の例をそれぞれ説明したものである。【０００８】図１使用例において、▲１▼被保管物は、▲２▼ファイル架に構成される▲３▼クリップによって懸架される。この際、▲１▼被保管物は裸のままでも、または袋などに封入されていても良い。また、▲１▼被保管物の▲４▼見出し部以外は、次段の▲２▼ファイル架に設けられた、▲５▼ふところに挿入される。これによって、請求項１記載の見出し部を常に視認可能な状態に保持することと、出し入れを容易することを達成している。【０００９】図２ファイル架の例において、▲５▼ふところは、上述の用に供するもので、保管される▲１▼被保管物の厚さを考慮した適切な値に設定されている。
▲３▼クリップは、▲２▼ファイル架に固定されており、▲１▼被保管物の取り付け・取り出し時は、この▲３▼クリップの開閉を介して行われる。また、▲３▼クリップは、汎用品と同じ開閉方法で、誰もが熟知している簡単な操作である。また、▲３▼クリップに代えて、マグネットあるいはホックなどを使用することも可能である。この際、▲１▼被保管物を袋に入れて利用するときには、ホックに掛ける部分に穴を設けることにより、単にホックに掛けるだけの簡単な操作でよい。
▲２▼ファイル架は、壁面、衝立、戸棚などへ取り付けて利用されるが、取り付けには、▲６▼マグネットまたは、▲７▼取り付け穴を利用してネジ止めするか、▲８▼紐穴を利用した紐掛けが用意されている。また▲６▼マグネットに代わり、マジックファスナーや接着材を利用することも当然可能である。いずれも簡単な取り付けが可能である。
また、▲１３▼ラベルは、▲１▼被保管物の保管・整理を補助する目的に利用される。【００１０】図３複数組の例は、縦列配列を説明したものである。▲９▼複数ファイル架は、▲２▼ファイル架を基本として、これを複数個連結したものである。
▲１０▼間隔は、種々の▲１▼被保管物の大きさに対応できるように幾つかの寸法のものが用意されている。
▲１１▼ホック凹、▲１２▼ホック凸は、他の▲９▼複数ファイル架との連結を行う機能を有する。これによって、請求項２に記載する任意数のものと相互に連結を可能としている。
もちろん、図１使用例に見られるように、単独の▲２▼ファイル架をＮ個使用して、複数個のファイル架を構成することも可能である。また、図３複数組の例にならって、これを横方向に配列すれば、横列配列とすることができる。
【産業上の利用可能性】
【００１１】本発明は、文書類や物品などの保管に留まらず、工具類、材料、などの保管へも応用できる技術である。さらには、家庭内における小物入れや衣類などの保管にも利用でき、より巾広い分野に応用できると思考される。
【図面の簡単な説明】
【００１２】
【図１】  使用例を説明した、正面図と右側面図である。
【図２】  ファイル架の例  を説明した斜視図である。
【図３】  複数組の例を説明した正面図と下面図である。
【符号の説明】
【００１３】▲１▼被保管物
▲２▼ファイル架
▲３▼クリップ
▲４▼見出し部
▲５▼ふところ
▲６▼マグネット
▲７▼取り付け穴
▲８▼紐穴
▲９▼複数ファイル架
▲１０▼間隔
▲１１▼ホック凹
▲１２▼ホック凸
▲１３▼ラベル
【図１】
0003117857.tif 000003
【図２】
0003117857.tif 000004
【図３】
0003117857.tif 000005
【手続補正書】
【提出日】平成17年9月27日(2005.9.27)
【手続補正１】
【補正対象書類名】実用新案登録請求の範囲
【補正対象項目名】全文
【補正方法】変更
【補正の内容】
【実用新案登録請求の範囲】
【請求項１】
横に帯状で、縦方向に凹形に貫通するふところ部を形成し、正面に収納物を保持するクリップを、両端部に据付機構を有し、これが単独で、または複数組から成る一体構造をなしており、これらの任意数を壁面などに縦または横列に、あるいはそれらの組み合わせ配列を行ない、被収納物の見出し部を正面に、他を次段のふところ部に収納させることによって、その視認性を高め、出し入れを容易にした特徴を有するファイル収納ラック。
(57)【要約】【課題】  本考案は。弾性ボールの円周上に一定の空間を開けた弾性ベルトを設けたことにより，押す，引くどちらの筋肉運動も１つの運動具により行う。【解決手段】  本考案は弾性ボール１に手、腕、膝、ももが入る空間を開けた弾性ベルト２を弾性ボール１の円周上に接着３をすることにより１つの運道具により押す、引く両方の筋肉運動を可能とし、且つ軽く、コンパクトで安全な為老若男女を問わず、室内室外とも広く筋肉運動を行う事ができる。【選択図】  図１
0003117852.tif 000002
【実用新案登録請求の範囲】
【請求項１】
弾性ボールの円周上に手、腕、ひざ、ももが入る空間を開けた弾性ベルトを設け、弾性ボールを手、腕、ひざ、ももで押す、弾性ベルトを持ち、手、腕でおし広げる、ひざ、ももを中に通して広げる事ができる等の特徴を有するベルト付シエイプアップボール。
【考案の詳細な説明】
【技術分野】
【０００１】  本考案は弾性ボールの両側に弾性ベルトを設けた運道具に関するものである。
【背景技術】
【０００２】  筋力向上の運動として今までは内側筋肉、又外側筋肉の増強を１つの運道具で同時にでき、コンパクトで軽く外へ持ち出しての運動が出来なかった。
【考案の開示】
【考案が解決しょうとする課題】
【０００３】  一方向への筋肉運動は筋力のバランスを欠きコンパクトでないとスペースをとる、さらに重いものは外に持ち出せない、従って内側筋肉、外側筋肉両方の筋力アップ機能を一体化しさらにコンパクトで軽いことにより前述の欠点を解決しようとするものである。
【課題を解決するための手段】
【０００４】  本考案は弾性のあるボールに，弾性のあるベルトを両側に設け手，腕，膝、ももを用いて、弾性ボールを押す又ベルトを引く事により問題点を解決している。
【０００５】  上述の様に、本考案のベルト付シエイプアップボールは各部の筋力アップは勿論、軽くて安全なので外への持ち出しも出来、老若男女とわず広く効果を発揮できる。
【考案を実施するための最良の形態】
【０００６】  人の掌、腕で圧迫できる大きさに構成し、圧迫の繰返し運動がしやすい合成樹脂、ゴムに、気体又は液体を内含した球体で構成し、弾性のあるリング状ベルトを手、腕、足、ももが入る部分の区間を開け残りの部分を球体に接着した物で構成し、手、腕、膝、ももを用い球体を圧迫、又手、でベルトを持ち押し広げる。腕、足、ももをベルトに貫通させ押し広げることにより、手、腕、足、ももの筋力を強化することができる。
【実施例】
【０００７】  以下，添付図面に従って、実施例を説明する。
１は、人の手、腕で圧迫できる大きさに構成し、圧迫の繰返し運動がしやすい合成樹脂ゴムに，気体または液体を内含した球体で構成した物。
２は、１の球体に手、腕、足、ももが入る大きさの弾性のあるベルトをリング状に手、腕、足、ももが入る部分を残し接着させた物。図２は図１を斜面からとらえた物。
【図面の簡単な説明】
【０００８】
【図１】本考案のベルト付シェイプアップボールの実施例を示す正面図である
【図２】本ベルト付シェイプアップポールの斜面図である。
【図３】手でボール部分を圧迫している図。
【図４】手でベルト部分を握り、押し広げている図。
【図５】ひざでボールを圧迫し、ベルト部分で押し広げている図。
【符号の説明】
【０００９】１  ボール本体
２  ベルト部分
３  接着部分
【図１】
0003117852.tif 000003
【図２】
0003117852.tif 000004
【図３】
0003117852.tif 000005
【図４】
0003117852.tif 000006
【図５】
0003117852.tif 000007
(57)【要約】      （修正有）【課題】従来、和服着用時、携帯電話を収納する場所が難しかった。よって、携帯電話を帯の中に隠すように収納でき、尚且つ携帯電話の出し入れが簡単にできるようにしたホルダーを提供する。【解決手段】携帯電話用ホルダ−の背面部に紐通しを斜めに配置し、そこに帯ジメを通し、帯、後部に携帯電話を隠すように収納することとした。【選択図】図３
0003117203.tif 000002
【実用新案登録請求の範囲】
【請求項１】
ホルダ−本体１の背面部に帯ジメ５を通す紐通し２を斜めに配置することを特徴とする和服用携帯電話ホルダ−。
【請求項２】
帯ジメ５を紐通し２に通し、帯６の中に隠すように収納し、携帯電話３の出し入れを簡単にすることを特徴とする和服用携帯電話ホルダ−。
【考案の詳細な説明】
【技術分野】
【０００１】この考案は、和服用携帯電話ホルダ−に関するものである。
【背景技術】
【０００２】従来、和服、特に帯６の中に携帯電話３をうまく収納するものがなかった。
【考案の開示】
【考案が解決しようとする課題】
【０００３】携帯電話３を帯６の中に隠すように収納でき、尚且つ出し入れが簡単にできないかと考えた。
【課題を解決するための手段】
【０００４】上記記載の考案はホルダ−本体１の背面部に帯ジメ５を通す紐通し２を斜めに配置し、出し入れを簡単にすることでこの課題を解決した。
【考案の効果】
【０００５】帯６の後部の中にホルダ−本体１を配置するためホルダ−１が縦形では携帯電話３が出し入れしにくく、又横形では蓋を付けないと落下の可能性が考えられる、そこでホルダ−本体１を斜めに配置することにより落下防止と携帯電話３の出し入れを簡単にすることができる。
【考案を実施するための最良の形態】
【０００６】以下、本考案の実施の形態を図面に基ずき詳細に説明する。
【実施例】ホルダ−本体１は、携帯電話３が入る大きさ及び厚さのものであればよいが、着物の雰囲気を損なうものであってはいけないので、帯６と同じ生地の素材を使うのが好ましい。例えば正絹、金糸、等である。本考案品は、縦９０ｍｍ横６０ｍｍ奥行き２５ｍｍとし、素材は帯と同じ生地である正絹を用いた。紐通し２も同じ素材を使い、長さ４０ｍｍ幅３０ｍｍのトンネル状を形成し、斜め４０度の角度をとった、この紐通し２に帯ジメ５を通し、帯６、後部の中に携帯電話３を収納したホルダ−本体１を隠すように配置する、図３は本考案品を実際に着用した状況を示す図である。
【図面の簡単な説明】
【０００７】
【図１】  本考案の実施例を示す正面斜視図である。
【図２】  本考案の実施例を示す背面斜視図である。
【図３】  本考案を実際着用している状況を示す図である。
【符号の説明】
【０００８】１：ホルダ−本体（携帯電話用）
２：紐通し
３：携帯電話
４：着物
５：帯ジメ
６：帯
７：ホルダ−の底
８：ホルダ−出し入れ口
９：和服用携帯電話ホルダ−
【図１】
0003117203.tif 000003
【図２】
0003117203.tif 000004
【図３】
0003117203.tif 000005
(57)【要約】      （修正有）【課題】従来、和服着用時、携帯電話を収納する場所が難しかった。よって携帯電話を帯の中に収納でき、尚且つ和服に合うアクセサリ−を装飾用にも活用できるようにしたアクセサリーを提供する。【解決手段】携帯電話にアクセサリ−とチェ−ンによってつながれているプレ−トを帯の側部の間に上からはさみ込み、携帯電話を帯の後部に斜め横向きに置かれたホルダ−に収納することにした。【選択図】図３
0003117204.tif 000002
【実用新案登録請求の範囲】
【請求項１】
片端にプレ−ト７が連結されていて、他端にはリング状ひも１が連結されている本体アクセサリ−４の両端に、この本体アクセサリ−４より長いチェ−ン５が連結されていることを特徴とする携帯電話を保持する和服用アクセサリ−。
【請求項２】
上記本体アクセサリ−４、プレ−ト７、リング状ヒモ１、チェ−ン５のそれぞれの連結のすべて、又は一部が開閉自在なフック３、３、…を介してなされていることを特徴とする請求項１に記載の携帯電話を保持する和服用アクセサリ−。
【考案の詳細な説明】
【技術分野】
【０００１】この考案は、和服用携帯ストラップ、その他に関する。
【背景技術】
【０００２】従来、和服、とくに帯の中に携帯電話をうまく装着するものがなかった。
【考案の開示】
【考案が解決しようとする課題】
【０００３】携帯電話を帯の中に収納でき、尚且つ和服に合うアクセサリ−を装飾用にも活用出来ないかと考えた。
【課題を解決するための手段】
【０００４】請求項１記載の考案は片端にプレ−ト７が連結されていて、他端にはリング状ヒモ１が連結されている本体アクセサリ−４の両端に、この本体アクセサリ−４より長いチェ−ン５が連結されている事を特徴とする携帯電話を保持する和服用アクセサリ−１５。【０００５】請求項２記載の考案は本体アクセサリ−４、プレ−ト７、リング状ヒモ１、チェ−ン５のそれぞれの連結のすべて又は、一部が開閉自在なフック３、３、…を介してなされている事を特徴とする携帯電話を保持する和服用アクセサリ−１５。
【考案の効果】
【０００６】本考案で用いるプレ−ト７は、体につけた帯１１の間に差し込めるような大きさ及び厚さの物であればよく、例えば金属板、アクリル板、等であり、本体アクセサリ−４は携帯電話につなぐと同時に帯１１を飾るものであって、色々な宝飾品を使う事ができる。他端リング状ヒモ１は携帯電話９につなぐものであり、チェ−ン５は携帯電話９の落下を防止し且つ、飾りにするものであり、本体アクセサリ−４よりも長くされている、本考案で用いる開閉自在のフック３、３、…は、図２で示すようにアクセサリ−用に販売されているもので、突起ボタン１３を動かすと開閉部分１４がフック状に開口するものが好ましい。
【考案を実施するための最良の形態】
【０００７】以下、本考案の実施の形態を図面に基ずき詳細に説明する。
【実施例】本体アクセサリ−４は、長さ１５０ｍｍの小粒パ−ルを三本撚り合わせたものとしプレ−ト７は、長さ１５ｍｍ×７０ｍｍ、厚さ１ｍｍの金属板とし、チエ−ン５は、長さ２００ｍｍの金属製を用いた。図１の状態で図３の帯１１の側部の間にプレ−ト７を上から差し入れ、リング状ヒモ１につながる携帯電話９を帯１１の後部に配置されたホルダ−８に収納する、図３は本考案品を実際に着用した状況を示す図である。
【図面の簡単な説明】
【０００８】
【図１】本考案の実施例を示す図である。
【図２】図１の部分拡大図である。
【図３】本考案品を実際着用している状況を示す図である。
【符号の説明】
【０００９】１：リング状ヒモ（携帯電話用）
２：丸カン
３：フック
４：本体アクセサリ−
５：チェ−ン
６：丸カン
７：プレ−ト
８：ホルダ−
９：携帯電話
１０：着物
１１：帯
１２：帯ジメ
１３：突起ボタン
１４：開閉部分
１５：和服用アクセサリ−
【図１】
0003117204.tif 000003
【図２】
0003117204.tif 000004
【図３】
0003117204.tif 000005